(57)【要約】【課題】天井パネルをしっかりとしかも容易に設置することができる天井パネル保持具及び天井パネル設置構造を提供する。【解決手段】天井パネル３は、部屋の対面する両側のレール２，２間に跨るようにしてその辺縁がレール２，２上に載置され、保持具１０の張出片１２によって該辺縁が上側から押えられる。レール２Ａ側から順次に１枚目及び２枚目の天井パネル３，３を設置した後、張出片１２がそれらに跨るように保持具１０をレール２にビス留めして取り付ける。パネル３同士を突き合わせると、該接続体３０，４０同士が係合し、パネル３，３同士が接続され、両者の離反が阻止される。【選択図】図１
2007120118.tif 000002
【特許請求の範囲】
【請求項１】
部屋の壁の上側に沿って延在した天井パネル支持用レールに辺縁を載荷させた天井パネルの該辺縁を押さえるための天井パネル保持具であって、
該天井パネルの側端面に沿って配置され、該レールに固定される起立片と、
該起立片から該天井パネルの辺縁の上側に張り出す張出片と
を備えてなる天井パネル保持具。
【請求項２】
部屋の壁の上側に沿って延在して天井パネル支持用レールに天井パネルの辺縁を載荷させて天井パネルを設置してなる天井パネル設置構造において、
該天井パネルの辺縁を該レールに対し請求項１に記載の天井パネル保持具で保持させたことを特徴とする天井パネル設置構造。
【請求項３】
請求項２において、該レールは、上向きに配置された横片と、該横片から立ち上がる縦片とを有しており、
該横片の上に前記天井パネルの辺縁が載荷され、該縦片に前記天井パネル保持具の起立片が固定され、
該天井パネルの辺縁の上側に該天井パネル保持具の前記張出片が張り出している
ことを特徴とする天井パネル設置構造。
【請求項４】
請求項２又は３において、複数枚の天井パネルが突き合わされて並設されており、隣接する天井パネルに跨って前記天井パネル保持具が設置されていることを特徴とする天井パネル設置構造。
【請求項５】
並列設置された第１のパネルと第２のパネルとを接続するためのパネル接続具であって、
該第１のパネルに取り付けられる第１接続体と、該第２のパネルに取り付けられる第２接続体とを有する接続具において、
該第１接続体は、第１のパネルの木端面に重なる副片と、第１のパネルの板面に重なる主片とを有し、
第２接続体は、第２のパネルの木端面に重なる副片と、第２のパネルの板面に重なる主片とを有し、
該第１接続体及び該第２接続体は、該副片同士が対面するように配置されるものであり、
該第２接続体には、該副片同士が対面した配置状態において該第１接続体の主片に上側から対峙するように延出片が設けられており、
該第１接続体の主片には、該第１接続体の副片から離隔するほど第１のパネルから離隔する斜面を有した係合部が設けられており、
第２接続体の前記延出片には、該係合部に係止可能な係止部が設けられていることを特徴とするパネル接続具。
【請求項６】
並列設置された第１のパネルと第２のパネルとを接続するためのパネル接続具であって、
該第１のパネルに取り付けられる第１接続体と、該第２のパネルに取り付けられる第２接続体とを有する接続具において、
該第１接続体は、第１のパネルの木端面に重なる副片と、第１のパネルの板面に重なる主片とを有し、
第２接続体は、第２のパネルの木端面に重なる副片と、第２のパネルの板面に重なる主片とを有し、
該第１接続体及び該第２接続体は、該副片同士が対面するように配置されるものであり、
該第２接続体には、該副片同士が対面した配置状態において該第１接続体の主片に上側から対峙するように延出片が設けられており、
該第２接続体の延出片には、該第２接続体の副片から離隔するほど第１のパネルから離隔する斜面を有した係合部が設けられており、
第１接続体の前記主片には、該係合部に係止可能な係止部が設けられていることを特徴とするパネル接続具。
【請求項７】
請求項５又は６において、前記第１接続体の主片及び第２接続体の主片からそれぞれパネルに食い込み得る爪が突設されていることを特徴とするパネル接続具。
【請求項８】
請求項５又は６において、前記第１接続体の主片及び第２接続体の主片に、ビス又は釘などの挿通孔が設けられたことを特徴とするパネル接続具。
【請求項９】
請求項４において、隣接する天井パネル同士が請求項５ないし８のいずれか１項に記載のパネル接続具によって接続されていることを特徴とする天井パネル設置構造。
【発明の詳細な説明】
【技術分野】
【０００１】
本発明は天井パネル保持具、天井パネル設置構造及びパネル接続具に係り、例えばユニットバスルーム等のユニットルームの天井に適用するのに好適な天井パネル保持具、天井パネル設置構造及びパネル接続具に関する。
【背景技術】
【０００２】
建て込まれた壁パネルのスパン間を跨ぐように天井パネルを設置施工する従来例として、特開平８−１８９１３３号に記載のものがある。
【０００３】
同号では、壁パネルの上端面に沿って略Ｃ字形の断面形状のレール型の受け金物を設置しておく。
【０００４】
天井パネルの３辺の端面にスプリングピボットを設けておき、このスプリングピボットを有した１対の辺部を受け金物に嵌合させる。隣接する天井パネル同士は、一方の天井パネルの一端面に設けられた凸条と、他方の天井パネルの一端面に設けられた凹条との係合により一体化される。
【特許文献１】特開平８−１８９１３３号
【発明の開示】
【発明が解決しようとする課題】
【０００５】
上記特開平８−１８９１３３号では、天井パネルにスプリングピボットが必要であり、天井パネルの構造が複雑である。また、スプリングピボットの出没動作に不全があるときには、天井パネルの受け金物に対する係止が不良となってしまう。
【０００６】
また、上記特開平８−１８９１３３号では、天井パネル同士の離反を阻止することができない。
【０００７】
本発明は、天井パネルにスプリングピボット等を設けることなく、天井パネルをしっかりとしかも容易に設置することができる天井パネル保持具及び天井パネル設置構造を提供することを目的とする。
【０００８】
また、本発明はパネル同士を容易に接続することができるパネル接続具を提供することを目的とする。
【課題を解決するための手段】
【０００９】
請求項１の天井パネル保持具は、部屋の壁の上側に沿って延在した天井パネル支持用レールに辺縁を載荷させた天井パネルの該辺縁を押さえるための天井パネル保持具であって、該天井パネルの側端面に沿って配置され、該レールに固定される起立片と、該起立片から該天井パネルの辺縁の上側に張り出す張出片とを備えてなるものである。
【００１０】
請求項２の天井パネル設置構造は、部屋の壁の上側に沿って延在して天井パネル支持用レールに天井パネルの辺縁を載荷させて天井パネルを設置してなる天井パネル設置構造において、該天井パネルの辺縁を該レールに対し請求項１に記載の天井パネル保持具で保持させたことを特徴とするものである。
【００１１】
請求項３の天井パネル設置構造は、請求項２において、該レールは、上向きに配置された横片と、該横片から立ち上がる縦片とを有しており、該横片の上に前記天井パネルの辺縁が載荷され、該縦片に前記天井パネル保持具の起立片が固定され、該天井パネルの辺縁の上側に該天井パネル保持具の前記張出片が張り出していることを特徴とするものである。
【００１２】
請求項４の天井パネル設置構造は、請求項２又は３において、複数枚の天井パネルが突き合わされて並設されており、隣接する天井パネルに跨って前記天井パネル保持具が設置されていることを特徴とするものである。
【００１３】
請求項５のパネル接続具は、並列設置された第１のパネルと第２のパネルとを接続するためのパネル接続具であって、該第１のパネルに取り付けられる第１接続体と、該第２のパネルに取り付けられる第２接続体とを有する接続具において、該第１接続体は、第１のパネルの木端面に重なる副片と、第１のパネルの板面に重なる主片とを有し、第２接続体は、第２のパネルの木端面に重なる副片と、第２のパネルの板面に重なる主片とを有し、該第１接続体及び該第２接続体は、該副片同士が対面するように配置されるものであり、該第２接続体には、該副片同士が対面した配置状態において該第１接続体の主片に上側から対峙するように延出片が設けられており、該第１接続体の主片には、該第１接続体の副片から離隔するほど第１のパネルから離隔する斜面を有した係合部が設けられており、第２接続体の前記延出片には、該係合部に係止可能な係止部が設けられていることを特徴とするものである。
【００１４】
請求項６のパネル接続具は、並列設置された第１のパネルと第２のパネルとを接続するためのパネル接続具であって、該第１のパネルに取り付けられる第１接続体と、該第２のパネルに取り付けられる第２接続体とを有する接続具において、該第１接続体は、第１のパネルの木端面に重なる副片と、第１のパネルの板面に重なる主片とを有し、第２接続体は、第２のパネルの木端面に重なる副片と、第２のパネルの板面に重なる主片とを有し、該第１接続体及び該第２接続体は、該副片同士が対面するように配置されるものであり、該第２接続体には、該副片同士が対面した配置状態において該第１接続体の主片に上側から対峙するように延出片が設けられており、該第２接続体の延出片には、該第２接続体の副片から離隔するほど第１のパネルから離隔する斜面を有した係合部が設けられており、第１接続体の前記主片には、該係合部に係止可能な係止部が設けられていることを特徴とするものである。
【００１５】
請求項７のパネル接続具は、請求項５又は６において、前記第１接続体の主片及び第２接続体の主片からそれぞれパネルに食い込み得る爪が突設されていることを特徴とするものである。
【００１６】
請求項８のパネル接続具は、請求項５又は６において、前記第１接続体の主片及び第２接続体の主片に、ビス又は釘などの挿通孔が設けられたことを特徴とするものである。
【００１７】
請求項９の天井パネル設置構造は、請求項４において、隣接する天井パネル同士が請求項５ないし８のいずれか１項に記載のパネル接続具によって接続されていることを特徴とするものである。
【発明の効果】
【００１８】
請求項１の天井パネル保持具及びこれを用いた請求項２〜４の天井パネル設置構造にあっては、天井パネルの辺縁がレール上に載荷され、この辺縁が該保持具の張出片によって上側から押えられるので、天井パネルの辺縁がきわめてしっかりと保持固定される。
【００１９】
本発明では、天井パネルにスプリングピンなどの部材を設けることが不要である。
【００２０】
請求項４のように、隣接する天井パネルに跨って保持具を設けることにより、保持具の使用数の節約を図ることができると共に、隣接する天井パネルの下面を段差なく面一状に揃えることができる。
【００２１】
請求項５，６のパネル接続具にあっては、第１接続体を第１のパネルに装着し、第２接続体を第２のパネルに装着しておく。このパネル同士を接近させると、斜面状の係合部と係止部とが係合してパネル同士が接続される。この接続作業に際し、パネル同士を接近させていくと、係止部が係合部の斜面に当った後、これを乗り越えるようにして該係止部と係合部とが係止される。従って、パネル同士を平面方向に接近させるだけで上下方向にパネルを動かす必要がないため両者を簡単に接続することができる。
【００２２】
請求項７のパネル接続具によると、爪をパネルに食い込ませることにより各接続体をパネルに容易に取り付けることができる。
【００２３】
請求項８のパネル接続具によると、パネル板面を上から抑えつけるようにビスや釘などで固定可能なため、係止部への下向きの力が大きくなり係合部からはずれにくくなり、より強固に第１接続体と第２接続体を係合させることが可能である。
【００２４】
請求項９の通り、このパネル接続具によって天井パネル同士を接続することにより、天井パネル同士を一体化させることができる。
【発明を実施するための最良の形態】
【００２５】
以下、図面を参照して実施の形態について説明する。
【００２６】
第１図は実施の形態に係る天井パネル設置構造を示す斜視図、第２図は第１図の天井パネル設置構造を示す第１図のII−II線に沿う縦断面図、第３図（ａ）は天井パネル保持具の斜視図、第３図（ｂ）は第３図（ａ）のＢ−Ｂ線断面図、第４図（ａ）は第１接続体の斜視図、第４図（ｂ）は第１接続体の平面図、第４図（ｃ）は第４図（ｂ）のＢ−Ｂ線断面図、第５図（ａ）は第２接続体の斜視図、第５図（ｂ）は第２接続体の平面図、第５図（ｃ）は第５図（ｂ）のＢ−Ｂ線断面図、第６図（ａ）はパネル接続具の斜視図、第６図（ｂ）はパネル接続具の平面図、第６図（ｃ）はパネル接続具による天井パネル同士の接続状態を示す断面図である。第７図は別の実施の形態に係るパネル接続具の断面図である。
【００２７】
第１，２図の通り、部屋を囲むように建て込まれた壁パネル１の上端面に略Ｌ字形断面形状の天井パネル支持用レール２が設置されており、天井パネル３がその辺縁を該レール２上に載置させるようにして設置されている。天井パネル３の辺縁が天井パネル保持具１０によって押えられている。隣接する天井パネル３同士が接続具２０によって接続される。
【００２８】
この実施の形態では、壁パネル１は、前面にタイル１ａが張設されたタイルパネルであるが、これに限定されるものではない。
【００２９】
レール２は、縦片２ａと横片２ｂとを有した略Ｌ字形である。この実施の形態では、横片２ｂの室内側が低段部となっており、天井パネル３の下側に見切材４が差し込まれているが、天井の隅部構造はこれに限定されるものではない。
【００３０】
第３図の通り、天井パネル保持具１０は、この縦片２ａにビス等によって固定される起立片１１と、この起立片１１の上下方向の途中から天井パネル３の上側へ張り出すように突設された張出片１２とを有する。１１ａは起立片１１に設けられたビス挿通孔を示す。
【００３１】
天井パネル３は、部屋の対面する両側のレール２，２間に跨るようにしてその辺縁がレール２，２上に載置され、保持具１０の張出片１２によって該辺縁が上側から押えられる。なお、第１図に２Ａが付記されたレール２には予め保持具１０を取り付けておいてもよい。
【００３２】
レール２Ａ側から順次に１枚目の天井パネル３を設置した後、張出片１２が２枚目の天井パネルにも跨るように１枚目の天井パネルの端部に２枚目の天井パネルの設置隙間を設けて、保持具１０をレール２にビス留めして取り付ける。この際、作業員はまだ天井パネル３が設置されていない部分から上半身を天井パネル３の上側に伸ばし、保持具１０の取り付けを行う。その後、２枚目の天井パネルを前記隙間にスライドさせて挿し込み、保持具１０が１枚目と２枚目の天井パネルに跨るようにする。順次に３枚目以降の天井パネル３についても同様にして設置する。
【００３３】
なお、最終枚目の天井パネル（図示略）は、天井パネルを斜めにしてレールより上にあげた後、水平にして上からレール上に載置する。その後、最終枚目の天井パネルに設けられた天井裏の作業口を介して保持具１０の装着作業を行う。
【００３４】
このように、この天井パネル設置構造では、天井パネル３にスプリングピン等を設けることなく容易に天井パネル３を設置することができる。
【００３５】
この実施の形態では、隣接する天井パネル３，３に跨がって保持具１０を装着しているので、保持具２０の個数が少なくて済むと共に、隣接するパネル３，３同士の下面を面一状に揃えることが容易である。
【００３６】
この実施の形態では、天井パネル３は、辺縁をレール２，２に載せた後、天井パネル３をレール２Ａに向けてスライドさせる。最終枚目のものを除く各天井パネル３には、このスライド方向の後縁側にパネル接続具２０の第１接続体３０を取り付けておく。また、２枚目以降の天井パネル３については、このスライド方向の前縁側に該接続具２０の第２接続体４０を取り付けておく。
【００３７】
パネル３同士を突き合わせると、該接続体３０，４０同士が係合し、パネル３，３同士が接続され、両者の離反が阻止される。
【００３８】
次に、この接続体３０，４０の構成について第４図〜第６図を参照して説明する。
【００３９】
これらの接続体３０，４０はステンレス板を加工して製作したものである。
【００４０】
該第１接続体３０は、天井パネル３の木端面に重なる副片３１と、天井パネル３の板面に重なる主片３２とを有した略Ｌ字形断面形状のものである。
【００４１】
該主片３２には、該副片３１から離隔するほど天井パネル３から離隔する斜面状の係合部３３が設けられている。係合部３３の先端側は垂下部３４となっている。
【００４２】
第２接続体４０は、天井パネル３の木端面に重なる副片４１と、天井パネル３の板面に重なる主片４２とを有する。
【００４３】
該第２接続体４０には、該副片３１，４１同士が対面した配置状態において該第１接続体３０の主片３２に上側から対峙するように延出片４３が設けられている。該延出片４３には、該係合部に係止可能な係止部４４が設けられている。
【００４４】
この延出片４３は、主片４２から若干立ち上がった後、該主片４２から離れる方向に延在しており、第２接続体４０は略クランク形断面形状のものとなっている。
【００４５】
この実施の形態では、各主片３２，４２に下向きに爪３５，４５が切り起しにより形成されている。天井パネル３は、この実施の形態では上面が発泡合成樹脂製の断熱ボードよりなるため、爪３５，４５が容易に食い込み、接続体３０，４０が十分に固着可能である。なお、爪３５，４５は、爪の板面が副片３１，４１と平行方向となるように設けられているので、接続体３０，４０の相互間に接近・離反方向に力が加えられても、接続体３０，４０はズレ動くことがない。
【００４６】
このように接続体３０，４０を取り付けた天井パネル３，３を接近させていくと、まず延出片４３の係止部４４が第１接続体３０の斜面状の係合部３３に当接する。パネル３，３同士をさらに接近させると、延出片４３が上側に撓みながら係止部４４が係合部３３上を摺動する。パネル３，３同士がほぼ当接するまで接近すると、係止部４４が係合部３３を乗り越え、第６図のように係合部３３と係止部４４とが係合した接続状態となり、パネル３，３同士の離反が阻止される。
【００４７】
なお、この実施の形態では、一方のパネル３の木端面に予め軟質合成樹脂製のシール材５０を接着しておき、パネル３，３同士が接続状態となったときにはパネル３，３間に該シール材５０が水密的に挟まれた状態とする。
【００４８】
上記実施の形態では第１接続体３０に斜面状の係合部３３を設け、第２接続体４０に係止部４４を設けているが、第７図のように、第２接続体４０Ａの延出片４３の先端部の垂下部４４に連なるように、副片４１から離隔するほど天井パネル３から離隔する斜面状の係合部４７を設け、第１接続体３０Ａの主片３２の先端部には、該係合部４７に係止可能な係止部３７を立設してもよい。
【００４９】
この接続体３０Ａ，４０Ａのその他の構成は前記接続体３０，４０と同一であり、同一符号は同一部分を示している。接続体３０Ａ，４０Ａの使用方法は接続体３０，４０と同一である。各接続体３０Ａ，４０Ａを備えたパネル３，３同士を接近させていくと、まず係合部４７が係止部３７に当接し、延出片４３が上側に撓む。パネル３，３同士をさらに接近させると、遂には係合部４７が係止部３７を乗り越え、第７図の係合状態となり、パネル３同士が接続状態となる。
【００５０】
上記実施の形態では、爪３５，４５によって接続体３０，３０Ａ，４０，４０Ａを天井パネルに固定しているが、天井パネルに剛性がある場合には、接続体をビス、釘、ボルト等で留め付けるようにしてもよい。
【００５１】
第８図（ａ），（ｂ）は、このようにビス等によって天井パネルに留め付けられるよう構成した第１接続体３０Ｂと第２接続体４０Ｂの斜視図、第９図は該接続体３０Ｂ，４０Ｂの係合状態を示す斜視図である。
【００５２】
第８図（ａ）に示す第１接続体３０Ｂは、垂下部３４から主片３２と反対方向に且つ主片３２と面一状に延出片３０ｂが延設され、この延出片３０ｂにビス、釘、ボルト等を挿通させるための孔３０ａが設けられている。爪３５は省略されている。
【００５３】
第１接続体３０Ｂのその他の構成は第１接続体３０と同様であり、同一符号は同一部分を示している。
【００５４】
第８図（ｂ）に示す第２接続体４０Ｂは、主片４２の爪４５を省略し、代りに主片４２にビス、釘、ボルト等を挿通させるための孔４０ａを設けている。第２接続体４０Ｂのその他の構成は第２接続体４０と同様であり、同一符号は同一部分を示している。
【００５５】
これらの接続体３０Ｂ，４０Ｂは、第９図の通り、前記接続体３０，４０と同様に係合される。
【００５６】
上記実施の形態はいずれも本発明の一例であり、本発明は図示以外の構成とされてもよい。
【図面の簡単な説明】
【００５７】
【図１】実施の形態に係る天井パネル設置構造を示す斜視図である。
【図２】第１図のII−II線に沿う縦断面図である。
【図３】（ａ）図は天井パネル保持具の斜視図、（ｂ）図は（ａ）図のＢ−Ｂ線断面図である。
【図４】（ａ）図は第１接続体の斜視図、（ｂ）図は第１接続体の平面図、（ｃ）図は（ｂ）図のＢ−Ｂ線断面図である。
【図５】（ａ）図は第２接続体の斜視図、（ｂ）図は第２接続体の平面図、（ｃ）図は（ｂ）図のＢ−Ｂ線断面図である。
【図６】（ａ）図はパネル接続具の斜視図、（ｂ）図はパネル接続具の平面図、（ｃ）図はパネル接続具による天井パネル同士の接続状態を示す断面図である。
【図７】別の実施の形態に係るパネル接続具の断面図である。
【図８】異なる実施の形態に係る接続体の斜視図である。
【図９】図８の接続体の係合状態を示す斜視図である。
【符号の説明】
【００５８】
１  壁パネル
２  レール
２ａ  縦片
２ｂ  横片
３  天井パネル
１０  天井パネル保持具
１１  起立片
１２  張出片
２０  パネル接続具
３０，３０Ａ，３０Ｂ  第１接続体
４０，４０Ａ，４０Ｂ  第２接続体
３１，４１  副片
３２，４２  主片
３３，４７  係合部
３４  垂下部
３５，４５  爪
４４  係止部
【図１】
2007120118.tif 000003
【図２】
2007120118.tif 000004
【図３】
2007120118.tif 000005
【図４】
2007120118.tif 000006
【図５】
2007120118.tif 000007
【図６】
2007120118.tif 000008
【図７】
2007120118.tif 000009
【図８】
2007120118.tif 000010
【図９】
2007120118.tif 000011